(57)【要約】【課題】  構造を従来より簡略化することができる顎位矯正装置を提供する。【解決手段】  上顎に対する下顎の位置である顎位を矯正するための顎位矯正装置１０は、上顎の歯および下顎の歯によって挟まれることによって支持されるための被支持部２０を備えており、被支持部２０は、互いに並列した２つの円柱部２１と、２つの円柱部２１の周囲に巻き付けられることによって２つの円柱部２１を互いに固定させるテープ２２とを備えており、円柱部２１は、矢印１０ａで示す延在方向に直交する方向に弾性を有していることを特徴とする。【選択図】  図１
0003187248.tif 000002
【実用新案登録請求の範囲】
【請求項１】
上顎に対する下顎の位置である顎位を矯正するための顎位矯正装置であって、
前記上顎の歯および前記下顎の歯によって挟まれることによって支持されるための被支持部を備えており、
前記被支持部は、互いに並列した２つの円柱部を備えており、
前記円柱部は、延在方向に直交する方向に弾性を有していることを特徴とする顎位矯正装置。
【請求項２】
前記２つの円柱部は、１本の円柱部材が折り曲げられることによって形成されていて、互いに離れる方向に前記円柱部材の復元力が加わっていることを特徴とする請求項１に記載の顎位矯正装置。
【請求項３】
前記被支持部は、前記円柱部に固定されているテープを備えており、
前記テープは、前記被支持部が前記上顎の歯および前記下顎の歯によって挟まれる場合に前記上顎の歯および前記下顎の歯の少なくとも一方に接触することを特徴とする請求項１または請求項２に記載の顎位矯正装置。
【請求項４】
前記テープは、前記２つの円柱部の周囲に巻き付けられることによって前記２つの円柱部を互いに固定していることを特徴とする請求項３に記載の顎位矯正装置。
【考案の詳細な説明】
【技術分野】
【０００１】
本考案は、上顎に対する下顎の位置である顎位を矯正する顎位矯正装置に関する。
【背景技術】
【０００２】
本願の考案者は、上顎に対する下顎の位置である顎位を矯正する顎位矯正装置として、上顎および下顎の少なくとも一方に取り付けられるプレートと、プレートと一体化されていて上顎の左側の歯および下顎の左側の歯の間に挟まれる左側弾性部材と、プレートと一体化されていて上顎の右側の歯および下顎の右側の歯の間に挟まれる右側弾性部材とを備えているものを開発した（特許文献１参照。）。
【先行技術文献】
【特許文献】
【０００３】
【特許文献１】特開２００８−１８３１２６号公報
【考案の概要】
【考案が解決しようとする課題】
【０００４】
本願の考案者は、特許文献１に記載されている顎位矯正装置よりも簡単な構造で顎位を矯正することができる顎位矯正装置の開発を行った。
【０００５】
そこで、本考案は、構造を従来より簡略化することができる顎位矯正装置を提供することを目的とする。
【課題を解決するための手段】
【０００６】
本考案の顎位矯正装置は、上顎に対する下顎の位置である顎位を矯正するための顎位矯正装置であって、前記上顎の歯および前記下顎の歯によって挟まれることによって支持されるための被支持部を備えており、前記被支持部は、互いに並列した２つの円柱部を備えており、前記円柱部は、延在方向に直交する方向に弾性を有していることを特徴とする。
【０００７】
この構成により、本考案の顎位矯正装置は、２つの円柱部の並列方向が顎位の上下方向と直交する方向になる状態で上顎の歯と、下顎の歯とによって被支持部が挟まれることによって、主に、左右方向における顎位の正しい位置からのずれ（以下「左右ずれ」と言う。）を矯正することができる。また、本考案の顎位矯正装置は、２つの円柱部の並列方向が顎位の上下方向になる状態で上顎の歯と、下顎の歯とによって被支持部が挟まれることによって、主に、前後方向における顎位の正しい位置からのずれ（以下「前後ずれ」と言う。）と、前後方向に延在する軸を中心にした回転方向における顎位の正しい位置からのずれ（以下「ローリング」と言う。）と、左右方向に延在する軸を中心にした回転方向における顎位の正しい位置からのずれ（以下「ピッチング」と言う。）とを矯正することができる。したがって、本考案の顎位矯正装置は、構造を従来より簡略化することができるにもかかわらず、顎位を矯正することができる。
【０００８】
また、本考案の顎位矯正装置は、被支持部が互いに並列した２つの円柱部を備えているので、２つの円柱部の並列方向が顎位の上下方向になる状態で上顎の歯と、下顎の歯とによって被支持部が挟まれた場合に、２つの円柱部のそれぞれの直径の何れか一方と直径が同じ長さである１つのみの円柱部を被支持部が備えている構成と比較して、上顎に対して下顎を上下方向に大きく開くことになる。したがって、本考案の顎位矯正装置は、２つの円柱部のそれぞれの直径の何れか一方と直径が同じ長さである１つのみの円柱部を被支持部が備えている構成と比較して、前後方向に延在する軸を中心にした回転方向における上顎に対する下顎の回転の取り得る角度の範囲が大きくなるので、この回転方向における顎位のずれであるローリングを大幅に修正することができ、結果として、ローリングに対する顎位の矯正の能力を向上することができる。同様に、本考案の顎位矯正装置は、２つの円柱部のそれぞれの直径の何れか一方と直径が同じ長さである１つのみの円柱部を被支持部が備えている構成と比較して、左右方向に延在する軸を中心にした回転方向における上顎に対する下顎の回転の取り得る角度の範囲も大きくなるので、この回転方向における顎位のずれであるピッチングも大幅に修正することができ、結果として、ピッチングに対する顎位の矯正の能力を向上することができる。
【０００９】
また、本考案の顎位矯正装置は、被支持部の円柱部が延在方向に直交する方向に弾性を有している。この構成により、本考案の顎位矯正装置は、上顎の歯と、下顎の歯とによって被支持部が挟まれることによって支持される場合に、上顎の歯に接触する部分と、下顎の歯に接触する部分とがそれぞれ適度に歯の形状に合わせて変形するので、上顎の歯と、下顎の歯とによる被支持部の支持が安定し、結果として、顎位の矯正の能力を向上することができる。また、本考案の顎位矯正装置は、上顎の歯と、下顎の歯とによって被支持部が挟まれることによって支持される場合に、上顎の歯に接触する部分と、下顎の歯に接触する部分とがそれぞれ適度に歯の形状に合わせて変形して、上顎の歯と、下顎の歯とによる被支持部の支持が安定するので、利用者を限定せずに汎用性を向上することができる。
【００１０】
また、本考案の顎位矯正装置は、表面が曲面である円柱部を被支持部が備えていることによって、上顎の歯に接触する部分と、下顎の歯に接触する部分とがそれぞれ曲面であるので、上顎の歯と、下顎の歯とによって被支持部が挟まれることによって支持されることによって、前後方向に延在する軸を中心にした回転方向における顎位のずれであるローリングの矯正を容易化することができる。
【００１１】
なお、本考案の顎位矯正装置は、被支持部が互いに並列した２つの円柱部を備えているので、２つの円柱部の並列方向が顎位の上下方向になる状態で上顎の歯と、下顎の歯とによって被支持部が挟まれた場合に、２つの円柱部のそれぞれの直径の合計と直径が同じ長さである１つのみの円柱部を被支持部が備えている構成と比較して、上顎の歯に接触する部分の幅と、下顎の歯に接触する部分の幅とを小さくすることができる。したがって、本考案の顎位矯正装置は、２つの円柱部のそれぞれの直径の合計と直径が同じ長さである１つのみの円柱部を被支持部が備えている構成と比較して、前後方向に延在する軸を中心にした回転方向における上顎に対する下顎の回転を容易化することができ、結果として、この回転方向における顎位のずれであるローリングに対する顎位の矯正の能力を向上することができる。
【００１２】
また、本考案の顎位矯正装置において、前記２つの円柱部は、１本の円柱部材が折り曲げられることによって形成されていて、互いに離れる方向に前記円柱部材の復元力が加わっていても良い。
【００１３】
この構成により、本考案の顎位矯正装置は、被支持部の円柱部が延在方向に直交する方向に弾性を有しているとともに、２つの円柱部に互いに離れる方向に円柱部材の復元力が加わっている。したがって、本考案の顎位矯正装置は、２つの円柱部の並列方向が顎位の上下方向になる状態で上顎の歯と、下顎の歯とによって被支持部が挟まれることによって支持される場合に、上顎の歯に接触する部分と、下顎の歯に接触する部分とがそれぞれ適度に歯の形状に合わせて変形するので、上顎の歯と、下顎の歯とによる被支持部の支持の安定性が向上し、結果として、顎位の矯正の能力を向上することができる。また、本考案の顎位矯正装置は、２つの円柱部の並列方向が顎位の上下方向になる状態で上顎の歯と、下顎の歯とによって被支持部が挟まれることによって支持される場合に、上顎の歯に接触する部分と、下顎の歯に接触する部分とがそれぞれ適度に歯の形状に合わせて変形するので、利用者を限定せずに汎用性を向上することができる。
【００１４】
また、本考案の顎位矯正装置において、前記被支持部は、前記円柱部に固定されているテープを備えており、前記テープは、前記被支持部が前記上顎の歯および前記下顎の歯によって挟まれる場合に前記上顎の歯および前記下顎の歯の少なくとも一方に接触しても良い。
【００１５】
この構成により、本考案の顎位矯正装置は、上顎の歯と、下顎の歯とによって被支持部が挟まれた場合に、上顎の歯および下顎の歯の少なくとも一方との接触による円柱部の変形をテープによって適度に平坦化することができるので、上顎の歯と、下顎の歯とによる被支持部の支持が安定し、結果として、顎位の矯正の能力を向上することができる。
【００１６】
また、本考案の顎位矯正装置において、前記テープは、前記２つの円柱部の周囲に巻き付けられることによって前記２つの円柱部を互いに固定していても良い。
【００１７】
この構成により、本考案の顎位矯正装置は、上顎の歯と、下顎の歯とによる被支持部の支持を安定化させる機能だけでなく、２つの円柱部を互いに固定する機能をもテープに持たせることができるので、２つの円柱部を互いに固定するための構成を別途備えている必要がなく、全体の構成を簡略化することができる。
【考案の効果】
【００１８】
本考案の顎位矯正装置は、構造を従来より簡略化することができる。
【図面の簡単な説明】
【００１９】
【図１】本考案の一実施の形態に係る顎位矯正装置の外観斜視図である。
【図２】図１に示す顎位矯正装置の材料である円柱部材の外観斜視図である。
【図３】図１に示す顎位矯正装置によって顎位が矯正される対象者の下顎の斜視図である。
【図４】図１に示す顎位矯正装置によって顎位が矯正される前の対象者の頭部の近傍の正面図である。
【図５】（ａ）は、図１に示す顎位矯正装置の２つの円柱部の並列方向が顎位の上下方向と直交する方向になる状態で上顎の歯と、下顎の歯とによって被支持部が挟まれている場合の対象者の顎の正面図である。（ｂ）は、図５（ａ）に示す状態と同一の状態での対象者の顎の側面図である。
【図６】（ａ）は、図１に示す顎位矯正装置の２つの円柱部の並列方向が顎位の上下方向になる状態で上顎の歯と、下顎の歯とによって被支持部が挟まれている場合の対象者の顎の正面図である。（ｂ）は、図６（ａ）に示す状態と同一の状態での対象者の顎の側面図である。
【図７】図１に示す顎位矯正装置によって顎位が矯正された後の対象者の頭部の近傍の正面図である。
【図８】（ａ）は、図１に示す顎位矯正装置との比較例のうちの一例である顎位矯正装置の被支持部が上顎の歯と、下顎の歯とによって挟まれている場合の対象者の顎の正面図である。（ｂ）は、図８（ａ）に示す状態と同一の状態での対象者の顎の側面図である。
【図９】（ａ）は、図１に示す顎位矯正装置との比較例のうちの図８に示す例とは異なる一例である顎位矯正装置の被支持部が上顎の歯と、下顎の歯とによって挟まれている場合の対象者の顎の正面図である。（ｂ）は、図９（ａ）に示す状態と同一の状態での対象者の顎の側面図である。
【図１０】本考案の一実施の形態に係る顎位矯正装置であって、図１に示す例とは異なる一例の外観斜視図である。
【考案を実施するための形態】
【００２０】
以下、本考案の一実施の形態について、図面を用いて説明する。
【００２１】
まず、本実施の形態に係る顎位矯正装置１０の構成について説明する。
【００２２】
図１は、顎位矯正装置１０の外観斜視図である。
【００２３】
図１に示すように、顎位矯正装置１０は、上顎の歯と、下顎の歯とによって挟まれることによって支持されるための被支持部２０を備えている。
【００２４】
被支持部２０は、互いに並列した２つの円柱部２１と、２つの円柱部２１の周囲に巻き付けられることによって２つの円柱部２１を互いに固定させるテープ２２とを備えている。テープ２２は、円柱部２１に貼り付けられることによって固定されている。
【００２５】
図２は、顎位矯正装置１０の材料である円柱部材３０の外観斜視図である。
【００２６】
図１に示す２つの円柱部２１は、図２に示す１本の円柱部材３０が折り曲げられることによって形成されていて、互いに離れる方向に円柱部材３０の復元力が加わっている。
【００２７】
ここで、図２に示す円柱部材３０は、矢印３０ａで示す延在方向に直交する方向、すなわち、径の方向に弾性を有している。したがって、図１に示す円柱部２１は、矢印１０ａで示す延在方向に直交する方向、すなわち、径の方向に弾性を有している。
【００２８】
また、図２に示す円柱部材３０は、矢印３０ａで示す方向における全長が例えば８ｃｍである。したがって、図１に示す顎位矯正装置１０は、矢印１０ａで示す方向における全長が例えば４ｃｍである。
【００２９】
また、図２に示す円柱部材３０は、直径が例えば４ｍｍである。したがって、図１に示す顎位矯正装置１０は、矢印１０ａで示す方向に直交する方向のうち、２つの円柱部２１の矢印１０ｂで示す並列方向における幅が例えば８ｍｍであり、矢印１０ａで示す方向および矢印１０ｂで示す方向の両方に直交する矢印１０ｃで示す方向における幅が例えば４ｍｍである。
【００３０】
円柱部材３０としては、例えば、輸血用のシリコン製のチューブが採用されることが可能である。なお、円柱部材３０は、本実施の形態においてチューブ、すなわち中空の部材であるが、中空の部材でなくても良い。
【００３１】
次に、顎位矯正装置１０によって矯正する顎位のずれについて説明する。
【００３２】
図３は、顎位矯正装置１０によって顎位が矯正される対象者の下顎４１の斜視図である。
【００３３】
顎位のずれは、図３に示すように、矢印４０ａで示す左右方向における顎位の正しい位置からのずれである「左右ずれ」と、矢印４０ｂで示す前後方向における顎位の正しい位置からのずれである「前後ずれ」と、矢印４０ａで示す左右方向に延在する軸を中心にした矢印４０ｃで示す回転方向における顎位の正しい位置からのずれである「ピッチング」と、矢印４０ｂで示す前後方向に延在する軸を中心にした矢印４０ｄで示す回転方向における顎位の正しい位置からのずれである「ローリング」との何れか１つによって生じるか、何れか２つ以上が組み合わさって生じる。
【００３４】
次に、顎位矯正装置１０を使用した顎位の矯正の方法について説明する。
【００３５】
顎位矯正装置１０を使用した顎位の矯正は、顎位を確認するためのマークを取り付けるマーク工程、顎位のずれを矯正するための第一矯正工程、顎位のずれを更に矯正するための第二矯正工程の順で実行される。
【００３６】
まず、マーク工程について説明する。
【００３７】
図４は、顎位矯正装置１０によって顎位が矯正される前の対象者の頭部の近傍の正面図である。
【００３８】
施術者は、図４に示すように、対象者の眉間の位置５１と、オトガイ中点の位置５２と、左右の胸鎖関節の間の位置５３とに、例えばシールを貼り付けるなどの方法によって、マークを付ける。
【００３９】
顎位のずれが発生している場合、図４に示すように、位置５１、位置５２および位置５３は、矢印４０ａで示す左右方向において同一の位置にならない。すなわち、位置５１、位置５２および位置５３は、矢印４０ｅで示す上下方向に延在する同一の直線上に配置されていない。
【００４０】
対象者の顔は、顎位のずれによって、図４に示すように、矢印４０ａで示す左右方向におけるバランスが悪くなっている。また、対象者の顔は、顎位のずれによって、矢印４０ｅで示す上下方向における長さも適切ではなくなっている。したがって、対象者の顔の各種の比率は、いわゆる黄金比率から遠いものになっている。
【００４１】
次に、第一矯正工程について説明する。
【００４２】
図５（ａ）は、顎位矯正装置１０の２つの円柱部２１の矢印１０ｂで示す並列方向が顎位の矢印４０ｅで示す上下方向と直交する方向になる状態で上顎４２の歯４２ａと、下顎４１の歯４１ａとによって被支持部２０が挟まれている場合の対象者の顎の正面図である。図５（ｂ）は、図５（ａ）に示す状態と同一の状態での対象者の顎の側面図である。
【００４３】
施術者は、図５に示すように、顎位矯正装置１０の２つの円柱部２１の矢印１０ｂで示す並列方向が顎位の矢印４０ｅで示す上下方向と直交する方向になる状態で、上顎４２の歯４２ａと、下顎４１の歯４１ａとによって顎位矯正装置１０の被支持部２０を挟ませる。ここで、顎位のずれを矯正するためには、顎位の情報が下顎４１の歯４１ａの歯根膜から三叉神経を通して脳に伝わる必要がある。歯根膜の感覚は、２０μｍの変化に反応する。したがって、対象者は、被支持部２０を強い力で噛む必要が無い。むしろ、対象者が被支持部２０を強い力で噛むと顎位の情報が精度良く脳に伝わり難くなるため、対象者は、被支持部２０を強い力で噛まないようにする必要がある。すなわち、対象者は、被支持部２０を強い力で噛まずに、上顎４２の歯４２ａと、下顎４１の歯４１ａとによって顎位矯正装置１０を支持するために必要な程度に非常に弱い力で被支持部２０を噛む。
【００４４】
なお、上顎４２の歯４２ａと、下顎４１の歯４１ａとの間における何れの位置に顎位矯正装置１０の被支持部２０を挟ませるかについては、顎位のずれの状態によって異なる。施術者は、上顎４２の歯４２ａと、下顎４１の歯４１ａとの間において、顎位矯正装置１０の被支持部２０を挟ませる位置を、顎位のずれの状態によって選択する。例えば、下顎４１の歯４１ａのうち左側の歯が右側の歯より高くなっているローリングが生じている場合、顎位矯正装置１０の被支持部２０は、上顎４２の歯４２ａと、下顎４１の歯４１ａとの間において左側の歯の位置に挟まれると良い。
【００４５】
上顎４２の歯４２ａと、下顎４１の歯４１ａとの咬合の異常がある場合、上顎４２の歯４２ａと、下顎４１の歯４１ａとが接触することによって、顎位のずれが発生する。図５に示すように、顎位矯正装置１０の被支持部２０が上顎４２の歯４２ａと、下顎４１の歯４１ａとによって挟まれることによって、上顎４２の歯４２ａと、下顎４１の歯４１ａとの接触が外れて、下顎４１の歯４１ａの歯根膜から三叉神経を通して脳に伝わっていた顎位の情報が一旦除去されるので、顎位のずれが解消され易くなる。これによって、顎位のずれがある程度解消される。そして、施術者は、顎位のずれの状態に応じて、図５に示す状態で例えば下顎４１を後ろに引かせるなどの顎位の修正を必要によって対象者に行わせる。新たな顎位の情報は、下顎４１の歯４１ａの歯根膜から三叉神経を通して脳に伝わって、脳によって記憶される。
【００４６】
第一矯正工程においては、顎位のずれのうち、主に、左右ずれが矯正される。ただし、顎位のずれのうち、前後ずれ、ピッチングおよびローリングについても少なからず矯正される。
【００４７】
次に、第二矯正工程について説明する。
【００４８】
図６（ａ）は、顎位矯正装置１０の２つの円柱部２１の矢印１０ｂで示す並列方向が顎位の矢印４０ｅで示す上下方向になる状態で上顎４２の歯４２ａと、下顎４１の歯４１ａとによって被支持部２０が挟まれている場合の対象者の顎の正面図である。図６（ｂ）は、図６（ａ）に示す状態と同一の状態での対象者の顎の側面図である。
【００４９】
施術者は、図６に示すように、顎位矯正装置１０の２つの円柱部２１の矢印１０ｂで示す並列方向が顎位の矢印４０ｅで示す上下方向になる状態で、上顎４２の歯４２ａと、下顎４１の歯４１ａとによって顎位矯正装置１０の被支持部２０を挟ませる。このとき、対象者は、上述したように、被支持部２０を強い力で噛まずに、上顎４２の歯４２ａと、下顎４１の歯４１ａとによって顎位矯正装置１０を支持するために必要な程度に非常に弱い力で被支持部２０を噛む。
【００５０】
なお、施術者は、上顎４２の歯４２ａと、下顎４１の歯４１ａとの間において、第一矯正工程のときと同一の位置に顎位矯正装置１０の被支持部２０を挟ませる。
【００５１】
施術者は、顎位のずれのうち左右ずれが発生しないように矢印４０ａで示す左右方向における下顎４１の位置を固定しながら、顎位のずれの状態に応じて、図６に示す状態で例えば下顎４１を後ろに引かせるなどの顎位の修正を対象者に行わせる。新たな顎位の情報は、下顎４１の歯４１ａの歯根膜から三叉神経を通して脳に伝わって、脳によって記憶される。
【００５２】
第二矯正工程においては、顎位のずれのうち、主に、前後ずれ、ピッチングおよびローリングが矯正される。
【００５３】
図７は、顎位矯正装置１０によって顎位が矯正された後の対象者の頭部の近傍の正面図である。
【００５４】
以上のような顎位の矯正の方法によって、顎位のずれは改善されて、図７に示すように、位置５１、位置５２および位置５３が矢印４０ａで示す左右方向において同一の位置になる。すなわち、位置５１、位置５２および位置５３は、矢印４０ｅで示す上下方向に延在する同一の直線上に配置される。
【００５５】
対象者の顔は、顎位のずれが改善されて、図７に示すように、矢印４０ａで示す左右方向におけるバランスが良くなっている。また、対象者の顔は、顎位のずれが改善されて、矢印４０ｅで示す上下方向における長さも適切になっている。したがって、対象者の顔の各種の比率は、いわゆる黄金比率に近いものになっている。
【００５６】
以上に説明したように、顎位矯正装置１０は、図５に示すように２つの円柱部２１の矢印１０ｂで示す並列方向が顎位の矢印４０ｅで示す上下方向と直交する方向になる状態で上顎４２の歯４２ａと、下顎４１の歯４１ａとによって被支持部２０が挟まれることによって、主に、左右ずれを矯正することができる。また、顎位矯正装置１０は、図６に示すように２つの円柱部２１の矢印１０ｂで示す並列方向が顎位の矢印４０ｅで示す上下方向になる状態で上顎４２の歯４２ａと、下顎４１の歯４１ａとによって被支持部２０が挟まれることによって、主に、前後ずれと、ローリングと、ピッチングとを矯正することができる。したがって、顎位矯正装置１０は、構造を従来より簡略化することができるにもかかわらず、顎位を矯正することができる。
【００５７】
また、顎位矯正装置１０は、被支持部２０が互いに並列した２つの円柱部２１を備えているので、図６に示すように２つの円柱部２１の矢印１０ｂで示す並列方向が顎位の矢印４０ｅで示す上下方向になる状態で上顎４２の歯４２ａと、下顎４１の歯４１ａとによって被支持部２０が挟まれた場合に、図８に示すように２つの円柱部２１（図６参照。）のそれぞれの直径の何れか一方と直径が同じ長さである１つのみの円柱部２３を被支持部が備えている構成と比較して、上顎４２に対して下顎４１を矢印４０ｅで示す上下方向に大きく開くことになる。したがって、顎位矯正装置１０は、図８に示す構成と比較して、矢印４０ｄで示す回転方向における上顎４２に対する下顎４１の回転の取り得る角度の範囲が大きくなるので、この回転方向における顎位のずれであるローリングを大幅に修正することができ、結果として、ローリングに対する顎位の矯正の能力を向上することができる。同様に、顎位矯正装置１０は、図８に示す構成と比較して、矢印４０ｃで示す回転方向における上顎４２に対する下顎４１の回転の取り得る角度の範囲も大きくなるので、この回転方向における顎位のずれであるピッチングも大幅に修正することができ、結果として、ピッチングに対する顎位の矯正の能力を向上することができる。
【００５８】
また、顎位矯正装置１０は、被支持部２０の円柱部２１が矢印１０ａで示す延在方向に直交する方向に弾性を有している。この構成により、顎位矯正装置１０は、上顎４２の歯４２ａと、下顎４１の歯４１ａとによって被支持部２０が挟まれることによって支持される場合に、上顎４２の歯４２ａに接触する部分と、下顎４１の歯４１ａに接触する部分とがそれぞれ適度に歯の形状に合わせて変形するので、上顎４２の歯４２ａと、下顎４１の歯４１ａとによる被支持部２０の支持が安定し、結果として、顎位の矯正の能力を向上することができる。また、顎位矯正装置１０は、上顎４２の歯４２ａと、下顎４１の歯４１ａとによって被支持部２０が挟まれることによって支持される場合に、上顎４２の歯４２ａに接触する部分と、下顎４１の歯４１ａに接触する部分とがそれぞれ適度に歯の形状に合わせて変形して、上顎４２の歯４２ａと、下顎４１の歯４１ａとによる被支持部２０の支持が安定するので、利用者を限定せずに汎用性を向上することができる。
【００５９】
また、顎位矯正装置１０は、表面が曲面である円柱部２１を被支持部２０が備えていることによって、上顎４２の歯４２ａに接触する部分と、下顎４１の歯４１ａに接触する部分とがそれぞれ曲面であるので、上顎４２の歯４２ａと、下顎４１の歯４１ａとによって被支持部２０が挟まれることによって支持されることによって、矢印４０ｄで示す回転方向における顎位のずれであるローリングの矯正を容易化することができる。
【００６０】
なお、顎位矯正装置１０は、被支持部２０が互いに並列した２つの円柱部２１を備えているので、２つの円柱部２１の矢印１０ｂで示す並列方向が顎位の矢印４０ｅで示す上下方向になる状態で上顎４２の歯４２ａと、下顎４１の歯４１ａとによって被支持部２０が挟まれた場合に、図９に示すように２つの円柱部２１（図６参照。）のそれぞれの直径の合計と直径が同じ長さである１つのみの円柱部２４を被支持部が備えている構成と比較して、上顎４２の歯４２ａに接触する部分の幅と、下顎４１の歯４１ａに接触する部分の幅とを小さくすることができる。したがって、顎位矯正装置１０は、図９に示す構成と比較して、矢印４０ｄで示す回転方向における上顎４２に対する下顎４１の回転を容易化することができ、結果として、この回転方向における顎位のずれであるローリングに対する顎位の矯正の能力を向上することができる。
【００６１】
また、顎位矯正装置１０は、２つの円柱部２１が１本の円柱部材３０が折り曲げられることによって形成されていて、２つの円柱部２１が互いに離れる方向に円柱部材３０の復元力が加わっている。すなわち、顎位矯正装置１０は、被支持部２０の円柱部２１が矢印１０ａで示す延在方向に直交する方向に弾性を有しているとともに、２つの円柱部２１に互いに離れる方向に円柱部材３０の復元力が加わっている。したがって、顎位矯正装置１０は、図６に示すように２つの円柱部２１の矢印１０ｂで示す並列方向が顎位の矢印４０ｅで示す上下方向になる状態で上顎４２の歯４２ａと、下顎４１の歯４１ａとによって被支持部２０が挟まれることによって支持される場合に、上顎４２の歯４２ａに接触する部分と、下顎４１の歯４１ａに接触する部分とがそれぞれ適度に歯の形状に合わせて変形するので、上顎４２の歯４２ａと、下顎４１の歯４１ａとによる被支持部２０の支持の安定性が向上し、結果として、顎位の矯正の能力を向上することができる。また、顎位矯正装置１０は、図６に示すように２つの円柱部２１の矢印１０ｂで示す並列方向が顎位の矢印４０ｅで示す上下方向になる状態で上顎４２の歯４２ａと、下顎４１の歯４１ａとによって被支持部２０が挟まれることによって支持される場合に、上顎４２の歯４２ａに接触する部分と、下顎４１の歯４１ａに接触する部分とがそれぞれ適度に歯の形状に合わせて変形するので、利用者を限定せずに汎用性を向上することができる。
【００６２】
なお、顎位矯正装置１０は、図１０に示すように２つの円柱部２１が別々の円柱部材６０によって形成されていても良い。
【００６３】
また、顎位矯正装置１０は、被支持部２０が上顎４２の歯４２ａおよび下顎４１の歯４１ａによって挟まれる場合に上顎４２の歯４２ａおよび下顎４１の歯４１ａに接触するテープ２２を備えている。この構成により、顎位矯正装置１０は、上顎４２の歯４２ａと、下顎４１の歯４１ａとによって被支持部２０が挟まれた場合に、上顎４２の歯４２ａおよび下顎４１の歯４１ａとの接触による円柱部２１の変形をテープ２２によって適度に平坦化することができるので、上顎４２の歯４２ａと、下顎４１の歯４１ａとによる被支持部２０の支持が安定し、結果として、顎位の矯正の能力を向上することができる。
【００６４】
なお、テープ２２は、上顎４２の歯４２ａと、下顎４１の歯４１ａとのうち何れか一方のみに接触する位置に配置されていても良い。
【００６５】
また、顎位矯正装置１０は、テープ２２が２つの円柱部２１の周囲に巻き付けられることによって２つの円柱部２１を互いに固定している。この構成により、顎位矯正装置１０は、上顎４２の歯４２ａと、下顎４１の歯４１ａとによる被支持部２０の支持を安定化させる機能だけでなく、２つの円柱部２１を互いに固定する機能をもテープ２２に持たせることができるので、２つの円柱部２１を互いに固定するための構成を別途備えている必要がなく、全体の構成を簡略化することができる。
【００６６】
なお、顎位矯正装置１０は、２つの円柱部２１同士がテープ２２によって固定させられているが、テープ以外の方法によって固定させられていても良い。例えば、顎位矯正装置１０は、２つの円柱部２１同士が接着剤によって固定させられていても良いし、２つの円柱部２１同士が溶着によって固定させられていても良い。顎位矯正装置１０は、２つの円柱部２１同士がテープ以外の方法によって固定させられる場合、テープ２２を備えていなくても良い。
【００６７】
本実施の形態においては、施術者が顎位矯正装置１０を使用して対象者の顎位を矯正している。しかしながら、施術者によらず、対象者が顎位矯正装置１０を使用して対象者自身の顎位を矯正しても良い。
【００６８】
また、本実施の形態においては、顎位の矯正の方法にマーク工程が含まれている。しかしながら、顎位を確認するためのマークを取り付けなくても、顎位を確認することができるのであれば、顎位の矯正の方法にはマーク工程が含まれていなくても良い。例えば施術者が歯科医師である場合など、施術者が顎位を確認する能力を有している場合には、顎位の矯正の方法にマーク工程が含まれていなくても良い。
【００６９】
また、顎位の矯正の方法には、顎位が正しく矯正されたか否かを検証する工程が含まれていても良い。顎位が正しく矯正されたか否かを検証する方法としては、例えば腕の筋肉などの顎の筋肉以外の筋肉の筋反射による力の変化をみるキネシオロジーが用いられても良い。
【００７０】
また、本実施の形態においては、顎位の矯正の方法に第二矯正工程が含まれている。しかしながら、第一矯正工程および第二矯正工程のうち第一矯正工程のみで十分に顎位を矯正することができている場合には、顎位の矯正の方法には第二矯正工程が含まれていなくても良い。
【００７１】
また、第一矯正工程および第二矯正工程のうち第一矯正工程を省略して、第二矯正工程のみで顎位を矯正するようになっていても良い。
【００７２】
なお、下顎４１には体性感覚があるので、対象者は、顎位が正しい位置に矯正されると、顎位が正しい位置に矯正されたという情報が下顎４１の歯４１ａの歯根膜から三叉神経を通して脳に伝わり、それによって例えば以下のように、身体的な様々な不調や、精神的な様々な不調が改善される。
【００７３】
対象者は、顎位が正しい位置に矯正されると、姿勢が改善され、それによって様々な不定愁訴が解消する。
【００７４】
また、対象者は、顎位が正しい位置に矯正されると、舌を拳上することができるようになる。対象者は、舌を拳上することができるようになると、口呼吸から鼻呼吸に変えることもできるようになる。また、対象者は、顎位が正しい位置に矯正されると、口輪筋の力が強くなり、それによって口唇閉鎖もできるようになる。
【００７５】
また、対象者は、顎位が正しい位置に矯正されると、矢印４０ａで示す左右方向における頭蓋骨のバランスが良くなる。ここで、頭蓋骨は、顎位が正しい位置に矯正されると、下顎４１の位置の変化に応じて上顎４２の位置も適切な位置に変化する。対象者は、矢印４０ａで示す左右方向における頭蓋骨のバランスが良くなると、図４に示す例に対する図７に示す例のように、顔貌が美しく成長させられることができる。また、対象者は、顎位が正しい位置に矯正されると、頬筋などの表情筋や口腔周囲筋の左右のバランスが良くなるので、美しい笑顔を作ることができるし、図４に示す例に対する図７に示す例のように、顔貌が美しく成長させられることもできる。
【００７６】
対象者は、顎位が正しい位置に矯正されると、以上に説明したように、歯に対して舌、唇、頬が正しい位置に誘導されるので、舌、唇、頬から歯に加わる力のバランスを整える口腔筋機能療法（Ｏｒａｌ  Ｍｙｏｆｕｎｃｔｉｏｎａｌ  Ｔｈｅｒａｐｙ）が効率良く実施されることができ、それによって矯正歯科治療が効果的に実行されることができる。
【００７７】
顎位を正しい位置に矯正することは、矯正歯科を含む歯科だけでなく、例えば、整形、神経内科などの医学、マッサージ、芸術、スポーツなど、あらゆる分野で有利な効果をもたらすことができる。
【符号の説明】
【００７８】
１０  顎位矯正装置
１０ａ  矢印（円柱部の延在方向を示す矢印）
２０  被支持部
２１  円柱部
２２  テープ
３０  円柱部材
４１  下顎
４１ａ  歯
４２  上顎
４２ａ  歯
【図１】
0003187248.tif 000003
【図２】
0003187248.tif 000004
【図３】
0003187248.tif 000005
【図４】
0003187248.tif 000006
【図５】
0003187248.tif 000007
【図６】
0003187248.tif 000008
【図７】
0003187248.tif 000009
【図８】
0003187248.tif 000010
【図９】
0003187248.tif 000011
【図１０】
0003187248.tif 000012